(57)【要約】【課題】放熱部材とボディとの間に生じる微小隙間を有効に削減し、また車両の振動に伴う衝撃や異音の発生を回避しながら、良好な冷却性能を確保する。【解決手段】回路ユニットＵにおいて回路体３０が固着される放熱部材１０の外側面１１Ｂを車両のボディ表面Ｓに隙間をもって対向させるようにして回路ユニットＵを取付ける。好ましくは、車両のボディに固定される取付部１２を延設し、この取付部１２がボディに接触する面１３を放熱部材外側面１１Ｂと略平行にしてかつ両面１３，１１Ｂに段差を与えることにより、取付状態でボディと放熱部材外側面１１Ｂとが略平行な姿勢で対向し、かつ前記取付部１２を除く全域にわたってボディと放熱部材外側面１１Ｂとの間に隙間が形成されるようにする。【選択図】図５
2010173645.tif 000002
【特許請求の範囲】
【請求項１】
電力回路を構成する回路体と、この回路体の周りを囲むケース本体と、前記回路体が熱伝導可能な状態で固着される内側面とその反対側で外部に露出することにより放熱面とされる外側面とを有する放熱部材とを備えた車載用回路ユニットが他の回路体とともに共通の電気接続箱に組み込まれた状態で車両に取付けられる構造であって、
前記放熱部材の外側面を外部に露出させた状態で前記車載用回路ユニットが前記電気接続箱に組み込まれ、前記放熱部材がその外側面を前記車両のボディに向けると共に前記回路体とケース本体とを配置された内側面を前記ボディと反対側に向けた状態で、前記電気接続箱の外部に露出した外側面と当該ボディとの間に隙間をおいて対向する姿勢で当該ボディに当該車載用回路ユニットが取付けられていることを特徴とする車載用回路ユニットの取付構造。
【請求項２】
請求項１記載の車載用回路ユニットの取付構造において、前記ボディと前記車載用回路ユニットの放熱部材の外側面とが略平行な姿勢で対向するように当該車載用回路ユニットが当該ボディに取付けられていることを特徴とする車載用回路ユニットの取付構造。
【請求項３】
請求項１または２に記載の車載用回路ユニットの取付構造において、前記放熱部材は、車両のボディに接触する状態で当該ボディに固定される取付部を有し、かつ、この取付部が前記ボディに固定された状態で当該取付部を除く放熱部材外側面が前記ボディと隙間をおいて対向することを特徴とする車載用回路ユニットの取付構造。
【請求項４】
請求項３記載の車載用回路ユニットの取付構造において、前記車載用回路ユニットの取付部がエンジンルームの内側面に接触する状態で当該内側面に固定されていることを特徴とする車載用回路ユニットの取付構造。
【請求項５】
請求項３または４記載の車載用回路ユニットの取付構造において、前記取付部がエンジンルームの底面に接触する状態で当該底面に固定されていることを特徴とする車載用回路ユニットの取付構造。
【請求項６】
請求項３〜５のいずれかに記載の車載用回路ユニットの取付構造において、前記取付部にボルト挿通孔が設けられ、このボルト挿通孔に挿通される金属製ボルトによって当該取付部が車両のボディに締結されていることを特徴とする車載用回路ユニットの取付構造。
【請求項７】
請求項３〜６のいずれかに記載の車載用回路ユニットの取付構造において、前記取付部が前記ボディに固定された状態で当該取付部を除く放熱部材外側面が前記ボディと隙間をおいて対向するように、前記取付部が前記ボディに接触する面と前記放熱部材の外側面との間に段差が与えられていることを特徴とする車載用回路ユニットの取付構造。
【請求項８】
請求項３〜７のいずれかに記載の車載用回路ユニットの取付構造において、前記取付部が上を向く姿勢で前記車載用回路ユニットが前記ボディに取付けられていることを特徴とする車載用回路ユニットの取付構造。
【請求項９】
電力回路を構成する回路体と、この回路体の周りを囲むケース本体と、前記回路体が熱伝導可能な状態で固着される内側面とその反対側で外部に露出することにより放熱面とされる外側面とを有する放熱部材とを備えた車載用回路ユニットが他の回路体とともに共通の電気接続箱に組み込まれた状態で車両に取付けられる構造であって、
前記放熱部材の外側面を外部に露出させた状態で前記車載用回路ユニットが前記電気接続箱に組み込まれ、前記放熱部材がその外側面を前記車両のエンジンルーム内のバッテリーの表面に向けると共に前記回路体とケース本体とを配置された内側面を前記ボディと反対側に向けた状態で、前記電気接続箱の外部に露出した外側面と当該バッテリーの表面との間に隙間をおいて対向する姿勢で当該エンジンルーム内に当該車載用回路ユニットが取付けられていることを特徴とする車載用回路ユニットの取付構造。
【請求項１０】
電力回路を構成する回路体と、この回路体の周りを囲むケース本体と、前記回路体が熱伝導可能な状態で固着される内側面とその反対側で外部に露出することにより放熱面とされる外側面とを有する放熱部材とを備えた車載用回路ユニットが他の回路体とともに組み込まれ、かつ、車両のボディに固定される取付片を有する電気接続箱であって、
前記車載用回路ユニットは、前記放熱部材の外側面を外部に露出させた状態で組み込まれ、
この車載用回路ユニットの放熱部材は、前記電気接続箱の取付片が車両のボディに固定されたときに前記ボディに接触した状態で当該ボディに固定される取付部を有し、かつ、前記電気接続箱から露出した外側面が前記ボディを向くとともに前記回路体とケース本体とが配置された内側面が前記ボディと反対側を向くように当該取付部が前記ボディに固定された状態で当該取付部を除く放熱部材の前記電気接続箱の外部に露出した外側面が前記ボディと隙間をおいて対向するように、前記取付部が前記ボディに接触する面と前記放熱部材の外側面との間に段差が与えられていることを特徴とする車載用回路ユニットが組み込まれた電気接続箱。
【請求項１１】
請求項１０記載の車載用回路ユニットが組み込まれた電気接続箱において、前記取付部が前記ボディに接触する面と前記放熱部材の外側面とが略平行であることを特徴とする車載用回路ユニットが組み込まれた電気接続箱。
【請求項１２】
請求項１０または１１に記載の車載用回路ユニットが組み込まれた電気接続箱において、前記放熱部材は金属板で構成され、当該金属板の縁部から前記段差をもって前記取付部が延長されていることを特徴とする車載用回路ユニットが組み込まれた電気接続箱。
【発明の詳細な説明】
【技術分野】
【０００１】
本発明は、車両に搭載された電源から車載機器等に配電を行うためのパワーディストリビュータ等に用いられる車載用回路ユニットの取付構造、及び前記車載用回路ユニットが組み込まれた電気接続箱に関するものである。
【背景技術】
【０００２】
従来、共通の車載電源から各車載機器に電力を分配する手段として、複数枚のバスバー基板を積層することにより配電用回路を構成し、これにヒューズやリレースイッチを組み込んだ回路ユニットが一般に知られている。さらに近年は、かかる回路ユニットの小型化を実現すべくバスバーと制御回路体とを貼り合わせたり、前記リレーに代えてＦＥＴ等の半導体スイッチング素子を導入したりすることも検討されている。
【０００３】
ところで、このような回路ユニットでは、前記バスバーに比較的大きな電流が流れることにより発熱が生じ易く、特に、前記ＦＥＴやリレースイッチといったスイッチング素子の発熱量が大きいため、その放熱をいかに効率良く行うかが大きな課題となる。
【０００４】
その解決手段として、特許文献１には、放熱基板上に電気電子部品を含む回路パターンが設けられたコントロールボックスが開示されている。このコントロールボックスでは、前記放熱基板が平板状に形成され、その片側の縁部に設けられた取付孔にボルトが通されて車両のボディに締結されることにより、前記放熱基板の外表面の略全域が前記ボディに接触する状態で当該コントロールボックスの取付が行われるようになっている。
【先行技術文献】
【特許文献】
【０００５】
【特許文献１】特開平５−３４３８７１号公報（図１，図２）
【発明の概要】
【発明が解決しようとする課題】
【０００６】
前記特許文献１に記載されるコントロールボックスは、放熱基板全体が平板状でかつ基本的に当該放熱基板の外表面全域が車両のボディに接触するように設計されたものであるが、実際には前記放熱基板の外表面に凹凸や反り、撓み等が存在するため、これに起因して当該放熱基板の外表面とボディの表面との間に微小隙間が散在しやすく、当該微小隙間に水が溜まって錆が発生する等の不都合が生じるおそれがある。特に、前記ボルトによってボディに直接固定される部位から離れた部位では放熱基板外表面がボディから僅かに浮き易く、この部分が車両の振動に伴ってボディ表面に繰り返し当ることにより、その衝撃で回路の正常な動作に悪影響を与えたり、異音発生の原因となったりするおそれがある。
【０００７】
このような振動による不都合を解消する手段として、前記放熱基板の周縁部にその全周にわたって均等にボルト挿通孔を設け、当該周縁部全域をボルトによって直接締結することが考えられるが、このような構造を採用しても前記微小隙間の効果的な削減は期待できない。しかも、車体においてコントロールボックスを取付けるためのスペースは限られており、例えば狭いエンジンルーム内にコントロールボックスを取付ける場合において、前記放熱基板の周縁部を全周にわたってボディ側壁に締結する作業は事実上困難である。
【０００８】
本発明は、このような事情に鑑み、放熱部材とボディとの間に生じる微小隙間を有効に削減し、また車両の振動に伴う衝撃や異音の発生を回避しながら、前記放熱部材による良好な冷却性能を確保することができる車載用回路ユニットの取付構造、及び前記車載用回路ユニットが組み込まれた電気接続箱を提供することを目的とする。
【課題を解決するための手段】
【０００９】
前記課題を解決するための手段として、本発明は、電力回路を構成する回路体と、この回路体の周りを囲むケース本体と、前記回路体が熱伝導可能な状態で固着される内側面とその反対側で外部に露出することにより放熱面とされる外側面とを有する放熱部材とを備えた車載用回路ユニットが他の回路体とともに共通の電気接続箱に組み込まれた状態で車両に取付けられる構造であって、前記放熱部材の外側面を外部に露出させた状態で前記車載用回路ユニットが前記電気接続箱に組み込まれ、前記放熱部材がその外側面を前記車両のボディに向けると共に前記回路体とケース本体とを配置された内側面を前記ボディと反対側に向けた状態で、前記電気接続箱の外部に露出した外側面と当該ボディとの間に隙間をおいて対向する姿勢で当該ボディに当該車載用回路ユニットが取付けられているものである。
【００１０】
この構成によれば、他の回路体とともに共通の電気接続箱に組み込まれた状態であるにも関わらず、放熱部材における電気接続箱の外部に露出した外側面とボディとの間に隙間をおいて対向する姿勢で当該車載用回路ユニットが当該ボディに取付けられる。これにより、電気接続箱に組み込まれているにも関わらず、車載用回路ユニットにおいて、放熱部材の外側面とボディとの間に微小隙間が散在するおそれがなく、しかも、放熱部材の外側面とボディとが離間していても当該放熱部材からボディへの輻射による有効な熱伝達を実現して良好な冷却効果を得ることができる。
【００１１】
このような熱伝達の観点からは、前記ボディと前記車載用回路ユニットの放熱部材の外側面とが略平行な姿勢で対向するように当該車載用回路ユニットが当該ボディに取付けられていることが、より好ましい。
【００１２】
前記放熱部材は、その外側面全体がボディから離間していてもよいが、この放熱部材が、車両のボディに接触する状態で当該ボディに固定される取付部を有し、かつ、この取付部が前記ボディに固定された状態で当該取付部を除く放熱部材外側面が前記ボディと隙間をおいて対向するようにすれば、その取付部からボディへの熱伝導によって冷却性能をさらに高めることができる。しかも、この取付部とボディとの接触は局所的なものであるので、従来のように放熱部材外側面全体がボディに接触するものと異なり、当該放熱部材外側面とボディとの間に微小隙間が散在するおそれはほとんどない。また、当該取付部を放熱部材の全周ではなくその一部に設けても、車両振動時に放熱部材がボディに繰り返し当ることによる異音・衝撃の発生を回避することができる。
【００１３】
前記車載用回路ユニットの具体的な取付位置は問わないが、特に狭いスペース内で取付が行われる場合、例えば、前記車載用回路ユニットの取付部がエンジンルームの内側面に接触する状態で固定される場合に、特に有効である。
【００１４】
この場合、前記取付部が上を向く姿勢で前記車載用回路ユニットを前記ボディに取付けるようにすれば、車載機器が密集するエンジンルーム内でも当該回路ユニットの取付作業を上方から容易に行うことができる。
【００１５】
また、一般に車両のボディは、側壁部分が中空構造（二重構造）になっていて外部への放熱性が比較的低いのに対して底壁部分は放熱性が高いので、前記取付部がエンジンルームの底面に接触する状態で当該底面に当該取付部を固定するようにすれば、より高い冷却性能が得られる。
【００１６】
前記取付部と車両のボディとの具体的な連結構造としては、例えば、前記取付部にボルト挿通孔が設けられ、このボルト挿通孔に挿通される金属製ボルトによって当該取付部が車両のボディに締結されているものが、好適である。この構造によれば、前記金属製ボルトを媒介として放熱部材からボディへの熱伝達をより効果的にすることができる。
【００１７】
また本発明では、前記放熱部材の外側面を車両のボディに対向させる代わりにエンジンルーム内のバッテリーに対向させるようにしても有効である。当該バッテリーの温度はエンジンルーム内温度に比べてかなり低いため、このバッテリーに放熱部材の外側面を対向させれば当該放熱部材に良好な冷却性能を発揮させることができる。
【００１８】
また本発明は、電力回路を構成する回路体と、この回路体の周りを囲むケース本体と、前記回路体が熱伝導可能な状態で固着される内側面とその反対側で外部に露出することにより放熱面とされる外側面とを有する放熱部材とを備えた車載用回路ユニットが他の回路体とともに組み込まれ、かつ、車両のボディに固定される取付片を有する電気接続箱であって、前記車載用回路ユニットは、前記放熱部材の外側面を外部に露出させた状態で組み込まれ、この車載用回路ユニットの放熱部材は、前記接続箱の取付片が車両のボディに固定されたときに前記ボディに接触した状態で当該ボディに固定される取付部を有し、かつ、前記電気接続箱から露出した外側面が前記ボディを向くとともに前記回路体とケース本体とが配置された内側面が前記ボディと反対側を向くように当該取付部が前記ボディに固定された状態で当該取付部を除く放熱部材の前記電気接続箱の外部に露出した外側面が前記ボディと隙間をおいて対向するように、前記取付部が前記ボディに接触する面と前記放熱部材の外側面との間に段差が与えられているものである。
【００１９】
この電気接続箱の取付片を車両のボディに固定するとともに車載用回路ユニットの取付部を前記ボディに固定すれば、他の回路体とともに電気接続箱に組み込まれた状態であるにも関わらず、この電気接続箱に組み込まれた車載用回路ユニットにおいて、前記ボディと前記取付部以外の放熱部材の外側面とが隙間をおいて対向する構造を得ることができる。
【００２０】
ここで、前記取付部が前記ボディに接触する面と前記放熱部材の外側面とが略平行であれば、当該放熱部材の外側面とボディとを略平行な姿勢で対向させることが可能になる。
【００２１】
前記放熱部材の具体的な形状は問わないが、当該放熱部材が金属板で構成され、当該金属板の縁部から前記段差をもって前記取付部が延長されているものでは、簡単な構造で前記放熱部材の外側面とボディとの間に良好な隙間を確保することができる。
【発明の効果】
【００２２】
以上のように、本発明によれば、他の回路体とともに電気接続箱に組み込まれた状態であるにも関わらず、車載用回路ユニットにおいて、放熱部材とボディとの間に生じる微小隙間を有効に削減し、また車両の振動に伴う衝撃や異音の発生を回避しながら、当該放熱部材からボディへの輻射による有効な熱伝達を実現して良好な冷却効果を得ることができる効果がある。
【図面の簡単な説明】
【００２３】
【図１】本発明が適用された回路ユニットを示す斜視図である。
【図２】前記回路ユニットの断面図である。
【図３】前記回路ユニットが組み込まれた電気接続箱の斜視図である。
【図４】前記電気接続箱がエンジンルーム内に設置された状態を示す平面図である。
【図５】前記エンジンルーム内の構造を示す断面正面図である。
【図６】前記エンジンルームにおいて内壁に段差を与えた例を示す断面正面図である。
【図７】前記エンジンルームにおいて内壁の下部が傾斜している例を示す断面正面図である。
【図８】前記エンジンルームにおいて内壁全体が傾斜している例を示す断面正面図である。
【図９】前記エンジンルーム内に設置される回路ユニットの放熱板の取付部を省略した例を示す断面正面図である。
【図１０】（ａ）はホイールハウスの上面に取付けられる回路ユニットの例を示す側面図、（ｂ）はその取付状態を示す断面正面図である。
【図１１】前記エンジンルーム内においてバッテリーに回路ユニットの放熱板外側面を対向させた例を示す断面正面図である。
【発明を実施するための形態】
【００２４】
本発明の好ましい実施の形態を図面に基づいて説明する。なお、ここに示す実施の形態は、共通の電源から複数の車載機器に電力を分配する配電回路を構成する回路ユニットＵに本発明を適用したものであるが、本発明はこれに限らず、各種回路を構成する回路ユニットについて広く適用し得るものである。
【００２５】
図１及び図２に示す回路ユニットＵは、放熱板（放熱部材）１０と、ケース本体２０と、シート状の回路体３０とを備え、この回路体３０には、基板実装素子４０及びコネクタ５０，６０が実装される。また、両コネクタ５０，６０上には前記回路体３０を覆うカバー７０が装着されるようになっている。
【００２６】
前記放熱板１０は、アルミニウム合金等の熱伝導性に優れた金属板により構成され、その外側面（図１及び図２では下面）１１Ｂが放熱面とされる一方、内側面（図１及び図２では上面）１１Ａに前記ケース本体２０と回路体３０とが共通の接着シート１８を介して絶縁状態で接着されるようになっている。
【００２７】
ケース本体２０は、合成樹脂等の絶縁材料により成形されたものであり、図例では前記回路体３０の周りを囲む枠状をなしている。
【００２８】
回路体３０は、車載電源から複数の負荷に電力を分配するための配電回路と、この電力回路のオンオフを制御する制御回路とを併有している。前記電力回路は、複数枚のバスバーが同一平面上に配列されたバスバー層３２によって構成され、制御回路は薄肉のプリント回路基板３４に組み込まれており、このプリント回路基板３４の下面に前記各バスバー３２が接着層３６を介して絶縁状態で接着されている。
【００２９】
なお、本発明では回路体の具体的な構成を問わず、例えば従来のバスバー基板のようにバスバーと絶縁板とが複数層にわたって交互に重ね合わされたものでもよい。
【００３０】
前記基板実装素子４０には、図示のようなリレースイッチ素子のほか、ＦＥＴ等の半導体素子や、抵抗素子その他の電気回路素子等が含まれ、回路体３０のバスバー層３２やプリント回路基板３４上に適宜実装される。
【００３１】
コネクタ５０は、前記回路体３０に電源を入力するためのものであり、コネクタ６０は、前記回路体３０から各車載機器へ電力を出力するとともに当該回路体３０と各種センサや他の制御ユニットとの間で信号の送受信を行わせるためのものである。これらのコネクタ５０，６０は、それぞれ、基板接続端子５２，６２を含むコネクタ端子と、これらの端子を保持するハウジング５４，６４とを備え、前記基板接続端子５２，６２が前記回路体３０を貫通する状態で当該回路体３０に半田付け等により接続されている。
【００３２】
なお、図例では、前記回路体３０の下面から突出する基板接続端子５２，６２と接着シート１８及び放熱板１０との接触を回避するため、当該接着シート１８に貫通孔１８ａ，１８ｂ，１８ｃが設けられるとともに、放熱板１０に凹み部１６Ａ，１６Ｂ，１６Ｃが形成されている。これらの凹み部１６Ａ，１６Ｂ，１６Ｃは、放熱板１０の途中部分をプレスにより下向きに凹ませたもので、当該凹み部１６Ａ，１６Ｂ，１６Ｃの形成位置では放熱板１０の外側面１１Ｂが局所的に突出した状態となっている。
【００３３】
次に、この回路ユニットＵを車両のボディに取付けるための構造について説明する。
【００３４】
前記放熱板１０の縁部の特定位置からは取付部１２が延長され、この取付部１２の外側面（図１及び図２では下面）がボディ表面Ｓと接触する接触面１３とされるとともに、当該取付部１２にこれを板厚方向に貫通するボルト挿通孔１４が設けられている。
【００３５】
また、前記ケース本体２０の側部には、前記放熱板の車体取付部１２に重ね合わされる取付部カバー２２が形成され、この取付部カバー２２に前記ボルト挿通孔１４と合致するボルト挿通孔２４が設けられている。そして、前記接触面１３がボディ表面Ｓと接触する状態で両ボルト挿通孔１４，２４にボルトが挿通されることにより、当該ボルトを利用して取付部１２がボディに締結されるようになっている。
【００３６】
さらに、この回路ユニットＵの特徴として、前記取付部１２のつけ根部分は斜め向きに延びており、これにより、当該取付部１２の接触面１３と放熱板１０の外側面１１Ｂとが略平行でありながら両面１３，１１Ｂ同士の間に段差が与えられている。
【００３７】
このような回路ユニットＵの取付部１２の接触面１３をボディ表面Ｓの適当な部位に接触させ、当該取付部１２及び取付部カバー２２のボルト挿通孔１４，２４に挿通したボルトによってボディに締結すれば、例えば前記ボディ表面Ｓが平面である場合、前記回路ユニットＵにおいて前記取付部１２を除く放熱板外側面１１Ｂの全域がボディ表面Ｓに対して前記段差の寸法に相当する寸法の隙間をおいて略平行な姿勢で対向することになる。このように放熱板外側面１１Ｂを確実にボディ表面Ｓから離間させることによって、水滴の滞留による発錆を防ぐことができる。
【００３８】
ここで、前記隙間の寸法は適宜設定すればよいが、その最小値（図例では凹み部１６Ａ〜１６Ｃの形成部位における外側面１１Ｂとボディ表面Ｓとの間に形成される隙間の寸法）ｄ１は、３ｍｍ以上に設定することが好ましい。この程度の隙間を確保しておけば、車両の振動等に伴って放熱板外側面１１Ｂ（特に取付部１２と反対側の端部の外側面１１Ｂ）がボディに繰り返し当接してしまうのを確実に回避することができ、このような当接に起因する異音や衝撃の発生を未然に防止することができる。
【００３９】
また、当該外側面１１Ｂとボディ表面Ｓとが離間していても、当該外側面１１Ｂから輻射によってボディに有効に熱伝達を行わせて高い冷却効果を確保することが可能である。ここで、前記ボディや放熱板１０の母材となるアルミニウム板や鉄板の輻射率は０．２程度であるが、これに塗装を施すことにより０．７程度の輻射率は容易に得ることが可能である。従って、前記放熱板外側面１１Ｂ及びこれに対向するボディ表面Ｓは０．７以上１．０以下の輻射率をもつものとすることがより好ましい。
【００４０】
一方、前記隙間寸法の最大値（図例では凹み部１６Ａ〜１６Ｃ以外の部位における外側面１１Ｂとボディ表面Ｓとの間に形成される隙間の寸法）ｄ２は、２０ｍｍ以下に設定することが好ましい。これにより、回路ユニットＵとボディとを近接させてその取付スペースを小さく抑えることができる。
【００４１】
なお、前記ボディ表面Ｓが平面でない場合、例えば曲面であったり凹凸のある面である場合には、その起伏を見込んで、最終的に当該ボディ表面Ｓと放熱板外側面１１Ｂとの隙間寸法が前記範囲に収まるように当該外側面１１Ｂと接触面１３との段差寸法を設計すればよい。
【００４２】
この回路ユニットＵは、それ単独で車両のボディに取付けられるものでもよいが、他の回路体とともに共通の電気接続箱に組み込まれた状態で取付けられるものでもよい。その例を図３に示す。
【００４３】
図示の電気接続箱９０は、ロアケース９２と図略のアッパケースとを備え、そのロアケース９２内に前記回路ユニットＵと他の回路体９４とが組み込まれている。回路ユニットＵは、その放熱板１０の外側面１１Ｂがロアケース９２の側壁から外部に露出するように当該ロアケース９２に組み込まれており、当該ロアケース９２の側壁から前記取付部１２及び取付部カバー２２が側方に突出した状態となっている。また、当該ロアケース９２には、前記取付部１２とは別に取付片９５，９６が突設され、各取付片９５，９６にもボルト挿通孔９５ａ，９６ａが設けられている。
【００４４】
図４及び図５は前記電気接続箱９０をボンネット１０４の下方のエンジンルーム１００内に取付けた例を示したものである。図示のエンジンルーム１００の前部にはラジエータファン１０５が設置され、中央部にはエンジン１０６が設置されており、当該エンジン１０６の側方にエアクリーナ１０７及びバッテリー１０８が設置されている。そして、このバッテリー１０８とエンジンルーム内壁とで挟まれた狭いスペース内に前記電気接続箱９０が縦置きに設置されている。
【００４５】
具体的に、前記エンジンルーム１００の左右両側部では、レインフォースメント１０２が前後に延びており、このレインフォースメント１０２により形成されるエンジンルーム底壁１０２ａ上にロアケース９０の取付片９６がそのボルト挿通孔９６ａに挿通される金属製ボルト１０４によって締結されるとともに、当該レインフォースメント１０２により形成されるエンジンルーム内壁（側壁）１０２ｂに回路ユニットＵの取付部１２及びロアケース９０の取付片９５がそのボルト挿通孔１４，９５ａに挿通される金属製ボルト１０４によって締結されている。具体的には、前記エンジンルーム底壁１０２ａ及び内壁１０２ｂの適所にボルト挿通孔が設けられてその裏側にナット１０３が溶接等で固定されており、このナット１０３に前記ボルト挿通孔１４，９５ａに挿通された金属製ボルト１０４がねじ込まれることにより、各取付片９５，９６がエンジンルーム底壁１０２ａ及び内壁１０２ｂに締結される。
【００４６】
この構造では、放熱板外側面１１Ｂがエンジンルーム内壁１０２ｂに略一定の隙間をおいて対向しており、かつ、当該放熱板１０の熱は輻射だけでなく接触面１３や金属製ボルト１０４を通じて熱伝導によりレインフォースメント１０２側に有効に伝達される。また、取付部１２が上を向く姿勢で内壁１２に取付けられるので、その取付作業をエンジンルーム１００の上方から容易に行うことができる。
【００４７】
なお、前記取付部１２の接触面１３と放熱板１０の外側面１１Ｂとの間に段差を与える代わりに、図６に示すように、エンジンルーム内壁１０２ｂに段部１０２ｃを形成して前記取付部１２が固定される部位とその下側の部位との間に段差を与えるようにしても、放熱板外側面１１Ｂとエンジンルーム内壁１０２ｂとを前記段差に相当する寸法の隙間をもって対向させることが可能である。
【００４８】
また、前記取付部１２を除く放熱板外側面１１Ｂの全域がエンジンルーム内壁１０２ｂと略平行であるものに限られず、例えば図７及び図８に示すように、エンジンルーム内壁１０２ｂのうち放熱板外側面１１Ｂの下部と対向する部位あるいは放熱板外側面１１Ｂの全面に対向する部位が当該外側面１１Ｂに対して傾斜する傾斜面１０２ｄとなっていてもよい。
【００４９】
また、図９に示すように、前記取付部１２を省略して放熱板外側面１１Ｂの全面をエンジンルーム内壁１０２ｂに対向させるようにしてもよい。この場合、放熱板１０からエンジンルーム内壁１０２ｂへの熱伝導は生じないが、輻射による熱伝達によって放熱部材１０の冷却を図ることができる。
【００５０】
本発明において、放熱板外側面１１Ｂを対向させる部位や取付部１２を固定する部位は前記のようなエンジンルーム内壁１０２ｂに限られず、エンジンルーム１００の底面、例えば図１０に示すようにホイールハウス１２０の上面に取付部１２を接触させて固定することにより、当該ホイールハウス１２０の上面に放熱板外側面１１Ｂを対向させるようにしてもよい。
【００５１】
一般に、車両ボディの側壁（例えばエンジンルーム１００を左右両側から囲むフェンダー部）は中空の二重構造となっていて外部への放熱性が比較的低い構造となっていることが多いのに対し、前記ホイールハウス１２０をはじめとするボディ底壁は単一の金属板で構成されていて放熱性が比較的高い構造となっていることが多いので、ボディ底面に放熱板外側面１１Ｂを対向させることは良好な冷却性能を得る上で有効である。
【００５２】
この場合も、例えば、回路ユニットＵが組み込まれる電気接続箱９０のケースから取付部を延設してこの取付部を前記ホイールハウス１２０やエンジンルーム側壁等に固定するようにしてもよい。
【００５３】
また、前記エンジンルーム内壁１０２ｂやホイールハウス１２０に代え、図１１に示すように前記エンジンルーム１００内のバッテリー１０８に放熱板外側面１１Ｂが対向するように回路ユニットＵを配置するようにしても有効である。一般に、バッテリー１０８は分解液を収容していてその表面はエンジンルーム内の昇温にかかわらず低温を維持できるので、当該バッテリー１０８の表面に放熱板１０の外側面１１Ｂを対向させることによってその良好な冷却性能を発揮させることができる。
【００５４】
なお、本発明にかかる放熱部材は前記放熱板１０のような板状のものに限らず、例えばブロック状のものでもよい。ただし、図示の放熱板１０のように金属板で放熱部材を構成し、当該金属板の縁部から段差をもって取付部１２を延長させるようにすれば、簡素な構造で高い放熱性能をもつ放熱部材を構築することが可能である。
【符号の説明】
【００５５】
１０    放熱板（放熱部材）
１１Ａ    放熱板内側面
１１Ｂ    放熱板外側面
１２    取付部
１３    接触面
１４    ボルト挿通孔
３０    回路体
９０    電気接続箱
１００    エンジンルーム
１０２ｂ    エンジンルーム内壁
１０４    金属製ボルト
１０８    バッテリー
Ｕ    回路ユニット
Ｓ    ボディ表面
ｄ１，ｄ２    隙間寸法
【図１】
2010173645.tif 000003
【図２】
2010173645.tif 000004
【図３】
2010173645.tif 000005
【図４】
2010173645.tif 000006
【図５】
2010173645.tif 000007
【図６】
2010173645.tif 000008
【図７】
2010173645.tif 000009
【図８】
2010173645.tif 000010
【図９】
2010173645.tif 000011
【図１０】
2010173645.tif 000012
【図１１】
2010173645.tif 000013